(57)【特許請求の範囲】
【請求項１】
撮像手段と、
１回の撮像指示に応じて、複数の撮像を行い共通のパラメータを用いて複数の画像を生成するよう前記撮像手段を制御する第一のモードと、１回の撮像指示に応じて、複数の撮像を行い撮像毎に少なくとも一部が異なるパラメータを用いて複数の画像を生成するよう前記撮像手段を制御する第二のモードとを有する制御手段と、
前記撮像指示に応じた複数の撮像の後、自動的に行われるレビュー表示として、前記複数の画像を同一画面に表示するよう表示部を制御する表示制御手段とを有し、
前記第一のモードで得られる複数の画像を前記レビュー表示として前記表示制御手段により前記表示部の同一画面に表示するよう制御する場合、前記表示制御手段は、前記複数の画像のうち削除しない画像を選択可能であることを示す情報を表示し、
前記第二のモードで得られる複数の画像を前記レビュー表示として前記表示制御手段により前記表示部の同一画面に表示するよう制御する場合、前記表示制御手段は、前記複数の画像のうち、削除する画像を選択可能であることを示す情報を表示することを特徴とする撮像装置。
【請求項２】
撮像手段と、
１回の撮像指示に応じて、複数の撮像を行い共通のパラメータを用いて複数の画像を生成するよう前記撮像手段を制御する第一のモードと、１回の撮像指示に応じて、複数の撮像を行い撮像毎に少なくとも一部が異なるパラメータを用いて複数の画像を生成するよう前記撮像手段を制御する第二のモードとを有する制御手段と、
前記撮像指示に応じた複数の撮像の後、自動的に行われるレビュー表示として、前記複数の画像を同一画面に表示するよう表示部を制御する表示制御手段と、
前記表示制御手段の制御により前記レビュー表示として前記表示部の同一画面に表示される複数の画像のうち、一つ以上の画像を選択する指示を受け付ける受け付け手段とを有し、
前記第一のモードで得られる複数の画像が前記レビュー表示として前記表示制御手段の制御により前記表示部の同一画面に表示される場合、前記制御手段は、前記表示されている複数の画像のうち、前記受け付け手段により選択を指示された画像以外の画像を削除するよう制御し、
前記第二のモードで得られる複数の画像が前記レビュー表示として前記表示制御手段の制御により前記表示部の同一画面に表示される場合、前記制御手段は、前記表示されている複数の画像のうち、前記受け付け手段により選択を指示された画像を削除するよう制御することを特徴とする撮像装置。
【請求項３】
前記表示制御手段は、選択を指示された画像にチェックマークを重畳表示するよう制御することを特徴とする請求項１または２に記載の撮像装置。
【請求項４】
前記表示制御手段は、前記第一のモードで得られる複数の画像を、チェックマークを重畳することなく前記レビュー表示し、前記チェックマークが重畳表示されていないいずれかの画像を選択する指示が受け付けられた場合、該選択を指示された画像にチェックマークを重畳表示するよう制御することを特徴とする請求項１または２に記載の撮像装置。
【請求項５】
前記表示制御手段は、前記第二のモードで得られる複数の画像にチェックマークを重畳した状態で前記レビュー表示し、前記チェックマークが重畳して表示されているいずれかの画像を選択する指示が受け付けられた場合、該選択を指示された画像のチェックマークを解除するよう制御することを特徴とする請求項１または２に記載の撮像装置。
【請求項６】
前記表示制御手段は、前記第一のモードで得られる複数の画像を所定の明度で表示した状態で前記レビュー表示を開始し、いずれかの画像を選択する指示が入力された場合、該選択を指示された画像の明度をより高い明度に変更して表示するよう制御することを特徴とする請求項１乃至３のいずれか１項に記載の撮像装置。
【請求項７】
前記表示制御手段は、前記第二のモードで得られる複数の画像を所定の明度で表示した状態で前記レビュー表示を開始し、いずれかの画像を選択する指示が入力された場合、該選択を指示された画像の明度をより低い明度に変更して表示するよう制御することを特徴とする請求項１乃至３のいずれか１項に記載の撮像装置。
【請求項８】
前記表示制御手段は、前記レビュー表示での画像の選択の後に画像が削除された場合、削除されなかった画像を一画面にレビュー表示することを特徴とする請求項１乃至７のいずれか１項に記載の撮像装置。
【請求項９】
前記制御手段は、前記レビュー表示の前に、前記撮像手段により生成される画像を画像ファイルとして記録媒体に記録するよう制御することを特徴とする請求項１乃至８のいずれか１項に記載の撮像装置。
【請求項１０】
前記撮像装置は、前記撮像手段により得られた画像が記録されている記録媒体から画像を読み出して表示部に表示する再生モードを更に有し、
前記再生モードでは、削除する画像の選択が可能であることを特徴とする請求項１乃至９のいずれか１項に記載の撮像装置。
【請求項１１】
前記撮像装置は、前記撮像手段による撮像の開始の指示を受け付ける操作部材を更に有し、
前記レビュー表示されている画像を選択可能な状態で前記操作部材への操作を受け付けた場合、前記レビュー表示を終了することを特徴とする請求項１乃至１０のいずれか１項に記載の撮像装置。
【請求項１２】
前記制御手段は、ユーザの指示に応じて撮像準備処理を実行して、撮像準備パラメータを決定し、
前記第一のモードでは、１回の撮像指示に応じて、共通の撮像準備パラメータを用いて複数の撮像を行い、
前記第二のモードでは、１回の撮像指示に応じて、撮像ごとに異なる撮像準備パラメータを用いて複数の撮像を行うことを特徴とする請求項１乃至１１のいずれか１項に記載の撮像装置。
【請求項１３】
撮像ステップと、
１回の撮像指示に応じて、複数の撮像を行い共通のパラメータを用いて複数の画像を生成するよう制御する第一のモードと、１回の撮像指示に応じて、複数の撮像を行い撮像毎に少なくとも一部が異なるパラメータを用いて複数の画像を生成するよう制御する第二のモードとを有する制御ステップと、
前記撮像指示に応じた複数の撮像の後、自動的に行われるレビュー表示として、前記複数の画像を同一画面に表示するよう表示部を制御する表示制御ステップとを有し、
前記第一のモードで得られる複数の画像を前記レビュー表示として前記表示部の同一画面に表示する場合、前記表示制御ステップでは、前記複数の画像のうち保存する画像を選択可能であることを示す情報を表示し、
前記第二のモードで得られる複数の画像を前記レビュー表示として前記表示部の同一画面に表示する場合、前記表示制御ステップでは、前記複数の画像のうち、削除する画像を選択可能であることを示す情報を表示することを特徴とする撮像装置の制御方法。
【請求項１４】
撮像ステップと、
１回の撮像指示に応じて、複数の撮像を行い共通のパラメータを用いて複数の画像を生成するよう制御する第一のモードと、１回の撮像指示に応じて、複数の撮像を行い撮像毎に少なくとも一部が異なるパラメータを用いて複数の画像を生成するよう制御する第二のモードとを有する制御ステップと、
前記撮像指示に応じた複数の撮像の後、自動的に行われるレビュー表示として、前記複数の画像を同一画面に表示するよう表示部を制御する表示制御ステップと、
前記レビュー表示として同一画面に表示される複数の画像のうち、一つ以上の画像の選択を受け付ける受け付けステップとを有し、
前記第一のモードで得られる複数の画像が前記レビュー表示として前記表示部の同一画面に表示される場合、前記制御ステップでは、前記表示されている複数の画像のうち、前記受け付けステップで選択を受け付けた画像以外の画像を削除するよう制御し、
前記第二のモードで得られる複数の画像が前記レビュー表示として前記表示部の同一画面に表示される場合、前記制御ステップでは、前記表示されている複数の画像のうち、前記受け付けステップで選択を受け付けた画像を削除するよう制御することを特徴とする撮像装置の制御方法。
【請求項１５】
コンピュータを、請求項１乃至１２のいずれか１項に記載の撮像装置の各手段として機能させるための、コンピュータが読み取り可能なプログラム。
【発明の詳細な説明】
【技術分野】
【０００１】
本発明は、撮像で得られた画像を削除することができる撮像装置に関するものである。
【背景技術】
【０００２】
近年、デジタルカメラをはじめとする撮像装置では、一度の操作で複数の画像を生成する連写撮像や、一度の操作で露出やフォーカス距離等の撮像条件を自動的に変更して複数の画像を生成する、いわゆるブラケット撮像等の機能を搭載したものが知られている。
【０００３】
また、これらの撮像機能を用いた撮像では、複数の画像が生成されるが、その複数の画像のうち、不要な画像は保存せずに削除したい。例えば、特許文献１では、ブラケット撮像で得られた複数の画像データを一覧表示し、ユーザがその中から削除したい画像を選択することが開示されている。
【先行技術文献】
【特許文献】
【０００４】
【特許文献１】特開２０１４−１２７９１７号公報
【発明の概要】
【発明が解決しようとする課題】
【０００５】
しかしながら、例えば連写撮像とブラケット撮像とでは、得られる複数の画像の特徴が異なるため、ユーザが保存したいと考える画像の数が異なると考えられる。
【０００６】
連写撮像を利用する場合、連写中の撮像毎に用いる撮像パラメータは共通している。故に、ほぼ同じ画像が複数生成され、ユーザはそのうちベストショットの一枚を保存したいと考えられる。一方ブラケット撮像を利用する場合、得られる複数の画像はそれぞれ異なる撮像パラメータを利用して得られる画像であるため、それぞれ雰囲気の異なる画像が得られる。そのため、同じような画像が得られる連写撮像に比べて、その場で一枚だけ保存したいというシーンは生じにくい。むしろ、自分の好みに合わない雰囲気の画像のみを保存しないようにしたいと予想される。
【０００７】
上述の特許文献１ではこの点について何ら考慮されていない。そのため、撮像モードによっては削除したい画像を何枚も選ばなければならなくなり、煩わしさを感じさせる虞があった。
【０００８】
そこで、本発明は、レックレビュー時の、保存または削除したい画像の選択の手間を低減することを目的とする。
【課題を解決するための手段】
【０００９】
上記課題を解決する為に本発明の撮像装置は、撮像手段と、１回の撮像指示に応じて、複数の撮像を行い共通のパラメータを用いて複数の画像を生成するよう前記撮像手段を制御する第一のモードと、１回の撮像指示に応じて、複数の撮像を行い撮像毎に少なくとも一部が異なるパラメータを用いて複数の画像を生成するよう前記撮像手段を制御する第二のモードとを有する制御手段と、前記撮像指示に応じた複数の撮像の後、自動的に行われるレビュー表示として、前記複数の画像を同一画面に表示するよう表十部を制御する表示制御手段と、前記表示制御手段の制御により前記レビュー表示として前記表示部の同一画面に表示される複数の画像のうち、一つ以上の画像を選択する指示を受け付ける受け付け手段とを有し、前記第一のモードで得られる複数の画像が前記レビュー表示として前記表示制御手段の制御により前記表示部の同一画面に表示される場合、前記制御手段は、前記表示されている複数の画像のうち、前記受け付け手段により選択を指示された画像以外の画像を削除するよう制御し、前記第二のモードで得られる複数の画像が前記レビュー表示として前記表示制御手段の制御により前記表示部の同一画面に表示される場合、前記制御手段は、前記表示されている複数の画像のうち、前記受け付け手段により選択を指示された画像を削除するよう制御することを特徴とする。
【発明の効果】
【００１０】
本発明によれば、撮像モード毎にレックレビュー時の画像を選択した場合の処理の内容を変えることで、ユーザ操作の手間を低減することができる。
【図面の簡単な説明】
【００１１】
【図１】撮像装置１００の外観の一例を示す図である。
【図２】撮像装置１００のハードウェア構成の一例を示す図である。
【図３】第一の実施形態におけるジタルカメラの起動から終了までの基本フローを示した図である。
【図４】第一の実施形態におけるデジタルカメラの撮像モードでのフローを示した図である。
【図５】第一の実施形態におけるマルチショットモードでのフローを示した図である。
【図６】第一の実施形態における撮像モード中のその他の処理のフローを示した図である。
【図７】（Ａ）第一の実施形態におけるマルチショットモードにおけるスルー画像の表示例である。（Ｂ）第一の実施形態におけるマルチショットモードにおけるクイックレビューの表示例である。（Ｃ）第一の実施形態におけるマルチショットモードにおけるレックレビューの表示例である。
【図８】第一の実施形態における連写モードでのフローを示した図である。
【図９】（Ａ）第一の実施形態における連写モードにおけるスルー画像の表示例である。（Ｂ）第一の実施形態における連写モードにおけるクイックレビューの表示例である。（Ｃ）第一の実施形態における連写モードにおけるレックレビューの表示例である。
【図１０】第一の実施形態におけるレックレビュー処理のフローを示した図である。
【図１１】第一の実施形態におけるレックレビューホールド処理のフローを示した図である。
【図１２】（Ａ）〜（Ｄ）第一の実施形態におけるマルチショットモードのレックレビュー表示中の処理における画面の表示例である。（Ｅ）〜（Ｈ）第一の実施形態における連写モードのレックレビュー表示中の処理における画面の表示例である。
【図１３】（Ａ）〜（Ｄ）その他の実施形態におけるマルチショットモードのレックレビュー表示中の処理における画面の表示例である。（Ｅ）〜（Ｈ）その他の実施形態における連写モードのレックレビュー表示中の処理における画面の表示例である。
【発明を実施するための形態】
【００１２】
以下に、本発明を実施するための形態について、添付の図面を用いて詳細に説明する。
【００１３】
なお、以下に説明する実施の形態は、本発明の実現手段としての一例であり、本発明が適用される装置の構成や各種条件によって適宜修正又は変更されてもよい。また、各実施の形態を適宜組み合せることも可能である。
【００１４】
［第１の実施形態］
＜デジタルカメラの構成＞
図１に第一の実施形態の撮像装置の一例としてのデジタルカメラの外観図を示す。なお、ここでは撮像装置の一例としてデジタルカメラについて述べるが、撮像装置はこれに限られない。例えば撮像装置は携帯型のカメラ付きメディアプレーヤや、いわゆるカメラ付きタブレットデバイス、カメラ付きパーソナルコンピュータなどであってもよい。
【００１５】
表示部２８は画像や各種情報を表示する表示部である。シャッターボタン６１は撮像指示を行うための操作部である。モードダイアル６０は各種モードを切り替えるための操作部である。コネクタ１１２は接続ケーブルとデジタルカメラ１００とのコネクタである。操作部７０はユーザからの各種操作を受け付ける各種スイッチ、ボタン等の操作部材より成る操作部である。
【００１６】
コントローラホイール７３は操作部７０に含まれる回転操作可能な操作部材である。７２は電源スイッチであり、電源オン、電源オフを切り替える。記録媒体２００はメモリカードやハードディスク等の記録媒体である。記録媒体スロット２０１は記録媒体２００を格納するためのスロットである。記録媒体スロット２０１に格納された記録媒体２００は、デジタルカメラ１００との通信が可能となる。蓋２０３は記録媒体スロット２０１の蓋である。インカメラ１５０は、撮像者側を撮像可能なカメラモジュールである。
【００１７】
図２は、本実施形態によるデジタルカメラ１００の構成例を示すブロック図である。
【００１８】
図２において、撮像レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。バリア１０２は、デジタルカメラ１００の、撮像レンズ１０３を含む撮像系を覆うことにより、撮像レンズ１０３、シャッター１０１、撮像部２２を含む撮像系の汚れや破損を防止する。
【００１９】
同様に撮像レンズ１５３はインカメラ（サブカメラ）側のズームレンズ、フォーカスレンズを含むレンズ群である。シャッター１５１はインカメラ側の絞り機能を備えるシャッターである。撮像部１５４はインカメラ側（撮像者側）の光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力される信号変換だけでなく、同時に撮像部１５４から出力されるアナログ信号をデジタル信号に変換するために用いられる。
【００２０】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００２１】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００２２】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示を行える。本実施においては表示部２８のアスペクト比を４：３として説明する。
【００２３】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２４】
システム制御部５０は、デジタルカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部はメモリ３２、Ｄ／Ａ変換器１３、表示部２８等を制御することにより表示制御も行う。
【００２５】
システムタイマー５３は各種制御に用いる時間や、内蔵された時計の時間を計測する計時部である。
【００２６】
モード切り替えスイッチ６０、第１シャッタースイッチ６２、第２シャッタースイッチ６４、操作部７０はシステム制御部５０に各種の動作指示を入力するための操作手段である。
【００２７】
モード切り替えスイッチ６０は、システム制御部５０の動作モードを静止画記録モード、動画記録モード、再生モード等のいずれかに切り替える。
【００２８】
静止画記録モードに含まれるモードとして、オート撮像モード、オートシーン判別モード、マニュアルモード、撮像シーン別の撮像設定となる各種シーンモード、プログラムＡＥモード、カスタムモード等がある。モード切り替えスイッチ６０で、静止画撮像モードに含まれるこれらのモードのいずれかに直接切り替えられる。あるいは、モード切り替えスイッチ６０で静止画撮像モードに一旦切り換えた後に、静止画撮像モードに含まれるこれらのモードのいずれかに、他の操作部材を用いて切り替えるようにしてもよい。同様に、動画撮像モードにも複数のモードが含まれていてもよい。第１シャッタースイッチ６２は、デジタルカメラ１００に設けられたシャッターボタン６１の操作途中、いわゆる半押し（撮像準備指示）でＯＮとなり第１シャッタースイッチ信号ＳＷ１を発生する。第１シャッタースイッチ信号ＳＷ１により、アウトカメラ側でＡＦ（オートフォーカス）処理、ＡＥ（自動露出）処理、ＡＷＢ（オートホワイトバランス）処理、ＥＦ（フラッシュプリ発光）処理等の動作を開始する。もしモード切換えスイッチ６０のポジションが複数カメラ同時撮像モードであった場合に第１シャッタースイッチ６２がＯＮとなった場合は、インカメラ側でもＡＦ処理、ＡＥ処理などの動作を開始する。
【００２９】
第２シャッタースイッチ６４は、シャッターボタン６１の操作完了、いわゆる全押し（撮像指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮像処理の動作を開始する。ここでもしモード切換えスイッチ６０のポジションが複数カメラ同時撮像モードであった場合は、撮像部１５４からの信号読み出しから記録媒体２００に画像データを書き込むまでに一連の撮像処理を撮像部２２からの一連の処理と同時に行う。
【００３０】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００３１】
なお操作部７０の一つとして、表示部２８に対する接触を検知可能なタッチパネル７１を有する。タッチパネル７１と表示部２８とは一体的に構成することができる。例えば、タッチパネル７１を光の透過率が表示部２８の表示を妨げないように構成し、表示部２８の表示面の上層に取り付ける。そして、タッチパネル７１における入力座標と、表示部２８上の表示座標とを対応付ける。これにより、恰もユーザが表示部２８上に表示された画面を直接的に操作可能であるかのようなＧＵＩ（グラフィカルユーザーインターフェース）を構成することができる。システム制御部５０はタッチパネル７１への以下の操作、あるいは状態を検出できる。
・タッチパネル７１を指やペンで触れたこと（以下、タッチダウン（Ｔｏｕｃｈ−Ｄｏｗｎ）と称する）。
・タッチパネル７１を指やペンで触れている状態であること（以下、タッチオン（Ｔｏｕｃｈ−Ｏｎ）と称する）。
・タッチパネル７１を指やペンで触れたまま移動していること（以下、タッチムーブ（Ｔｏｕｃｈ−Ｍｏｖｅ）と称する）。
・タッチパネル７１へ触れていた指やペンを離したこと（以下、タッチアップ（Ｔｏｕｃｈ−Ｕｐ）と称する）。
・タッチパネル７１に何も触れていない状態（以下、タッチオフ（Ｔｏｕｃｈ−Ｏｆｆ）と称する）。
【００３２】
これらの操作・状態や、タッチパネル７１上に指やペンが触れている位置座標は内部バスを通じてシステム制御部５０に通知され、システム制御部５０は通知された情報に基づいてタッチパネル７１上にどのような操作が行なわれたかを判定する。タッチムーブについてはタッチパネル７１上で移動する指やペンの移動方向についても、位置座標の変化に基づいて、タッチパネル７１上の垂直成分・水平成分毎に判定できる。またタッチパネル７１上をタッチダウンから一定のタッチムーブを経てタッチアップをしたとき、ストロークを描いたこととする。素早くストロークを描く操作をフリックと呼ぶ。フリックは、タッチパネル７１上に指を触れたままある程度の距離だけ素早く動かして、そのまま離すといった操作であり、言い換えればタッチパネル７１上を指ではじくように素早くなぞる操作である。所定距離以上を、所定速度以上でタッチムーブしたことが検出され、そのままタッチアップが検出されるとフリックが行なわれたと判定できる。また、所定距離以上を、所定速度未満でタッチムーブしたことが検出された場合はドラッグが行なわれたと判定するものとする。タッチパネル７１は、抵抗膜方式や静電容量方式、表面弾性波方式、赤外線方式、電磁誘導方式、画像認識方式、光センサ方式等、様々な方式のタッチパネルのうちいずれの方式のものを用いてもよい。
【００３３】
コントローラホイール７３は、操作部７０に含まれる回転操作可能な操作部材であり、方向ボタンと共に選択項目を指示する際などに使用される。コントローラホイール７３を回転操作すると、操作量に応じて電気的なパルス信号が発生し、このパルス信号に基づいてシステム制御部５０はデジタルカメラ１００の各部を制御する。このパルス信号によって、コントローラホイール７３が回転操作された角度や、何回転したかなどを判定することができる。なお、コントローラホイール７３は回転操作が検出できる操作部材であればどのようなものでもよい。例えば、ユーザの回転操作に応じてコントローラホイール７３自体が回転してパルス信号を発生するダイヤル操作部材であってもよい。また、タッチセンサよりなる操作部材で、コントローラホイール７３自体は回転せず、コントローラホイール７３上でのユーザの指の回転動作などを検出するものであってもよい（いわゆる、タッチホイール）。
【００３４】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００３５】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮像された画像を記録するためのメモリカード等の記録媒体であり、半導体メモリや磁気ディスク等から構成される。
【００３６】
本実施形態のデジタルカメラ１００は、上述の撮像モードに加えて、連写モードとマルチショットモードとを備える。
【００３７】
連写モードとは、静止画撮像モードの１つとして備えられた撮像モードである。モード切替スイッチ６０を操作することにより連写モードに切り替えることができる。連写モードでは、１回のシャッター操作部６１の全押し操作に応じて、撮像処理を連続して行う。連続して行われる撮像処理では、各々の撮像毎に共通の撮像パラメータが用いられる。すなわち、共通の露出やフォーカス位置で撮像し、共通の設定で画像処理を行って画像を生成する。また、連続回数については、１回の操作当たりに予め決められた回数を設定してもよいし、全押し操作が解除されるかＲＡＭの空き容量がなくなるまで繰り返してもよい。連写モードでは短い期間で多くの撮像を行うため、単写に比べてシャッターを切るタイミングを逃しにくい。特に動体を撮像するときのように、適切なタイミングでシャッターを切ることが難しいシーンでは、連写することでシャッタータイミングを逃すことなくベストショットの画像を得ることができる。
【００３８】
マルチショットモードとは、静止画撮像モードの１つとして備えられた撮像モードである。モード切替スイッチ６０を操作することによりマルチショットモードに切り替えることができる。マルチショットモードでは、１回のシャッター操作部６１の全押し操作に応じて、露出やフォーカス位置を変えた３回の撮像を行い、３枚のＲＡＷ画像をメモリ３２上に生成する。そして撮像後の後処理で３枚のＲＡＷ画像から最終的に６枚の画像を生成し、記録媒体２００に保存する。３回の撮像を行う際は、露出値の違うパターンで３回撮像する場合、ピント位置を変えて３回撮像する場合などがあり、撮像シーンの解析結果に応じてシステム制御部５０が自動的に撮像パラメータの少なくとも一部を変える仕組みになっている。また後処理で６枚の画像を生成する際は、３枚のＲＡＷ画像のうちの任意の画像に対して、ぼかし処理、色フィルター処理、トリミングなどの画像処理を組み合わせて実施し、最終的に６枚の画像を生成する。生成された６枚の画像は、短い期間で同じ被写体を撮像したものであるにも関わらず、構図や色、明るさやピントなどの組み合わせが異なる、バリエーション豊かな６枚の画像となる。従ってデジタルカメラの操作に詳しくないユーザーや、構図の取り方に詳しくないユーザーであっても、同じ被写体に対して互いに雰囲気が異なり、それぞれ面白みのある画像を撮像することができる。なお、ここで生成する画像の６枚という数は一例である。少なくとも複数の画像が生成されるモードであればよい。
【００３９】
＜デジタルカメラの動作＞
図３に、デジタルカメラの起動から終了までの動作のフローチャートを示す。この処理は、不揮発性メモリ５６に記録されたプログラムを、システムメモリ５２に展開してシステム制御部５０が実行することにより実現する。電源スイッチ７２が操作されてデジタルカメラ１００が起動すると図３の処理を開始する。
【００４０】
Ｓ３０１では、システム制御部５０は、モード切り替えスイッチ６０の位置をチェックして、現在のモードが撮像モードかどうかを判定する。撮像モードであると判定された場合はＳ３０２で撮像モードの処理を行い、撮像モードではないと判定された場合はＳ３０３に進む。撮像モード処理については図４を用いて後述する。
【００４１】
Ｓ３０３では、システム制御部５０は、モード切換えスイッチ６０の位置をチェックして、現在のモードが再生モードであるかを判定する。再生モードであると判定された場合はＳ３０４へ進み、再生モードではないと判定された場合はＳ３０５に進む。
【００４２】
Ｓ３０４では再生モードの処理を行う。ここでいう再生モードの処理とは、画像閲覧や、拡大表示、画像を消去する処理などが含まれる。
【００４３】
一方、Ｓ３０５ではその他の処理を行う。ここでいうその他の処理とは、現在時刻を表示するだけの時計表示モードの処理などがあげられる。
【００４４】
それぞれのモード処理が終了するとＳ３０６へ進む。
【００４５】
Ｓ３０５では、システム制御部５０は、カメラ動作をシャットダウンさせるか否かを判定する。具体的には、電源スイッチ７２の押下による電源オフの指示を受け付けた場合や、電源部３０の残量が所定量以下になったことを検知した場合に、システム制御部５０はカメラ動作をシャットダウンさせると判定する。シャットダウンさせると判定された場合はカメラ動作を終了し、シャットダウンしないと判定された場合はＳ３０１へ戻り、図３の処理を繰り返す。
【００４６】
以上がデジタルカメラの起動から終了までの動作の説明である。
【００４７】
＜撮像モード処理＞
続いて、図３のＳ３０２で実行される撮像モード処理について説明する。
【００４８】
図４に撮像モード処理のフローチャートを示す。この処理は、前述の図３のフローチャート中の撮像モード処理の詳細である。またこの処理は、不揮発性メモリ５６に記録されたプログラムをシステムメモリ５２に展開してシステム制御部５０が実行することにより実現する。
【００４９】
まず、Ｓ４０１にて、システム制御部５０は、モード切り替えスイッチ６０の位置をチェックして、現在のモードがマルチショットモードであるかどうかの判定を行う。マルチショットモードであると判定された場合はＳ４０２に進み、図５を用いて後述するマルチショットモード処理を実行する。一方、マルチショットモードではないと判定された場合は、Ｓ４０３へ進む。
【００５０】
Ｓ４０３にて、システム制御部５０は、モード切り替えスイッチ６０の位置をチェックして、現在のモードが連写モードであるかどうかの判定を行う。連写モードであると判定された場合はＳ４０４に進み、図８を用いて後述する連写モード処理を実行する。一方、連写モードではないと判定された場合はＳ４０５へ進む。
【００５１】
Ｓ４０５ではシステム制御部５０は、モード切り替えスイッチ６０の位置をチェックして、現在のモードが一枚撮像モードであるかどうかの判定を行う。一枚撮像モードであると判定された場合はＳ４０６へ進み、そうではないと判定された場合はＳ４０７へ進む。
【００５２】
Ｓ４０６ではシステム制御部５０は、通常の撮像モード処理を行う。ここでいう通常の撮像モードとは１回のシャッター操作部６１の全押し操作に応じて、１枚のＲＡＷ画像をメモリ３２上に生成しそれを現像することで一枚の画像を生成する。
【００５３】
Ｓ４０７ではシステム制御部５０は、撮像モードを終了するかどうかの判定を行う。終了すると判定された場合は撮像モード処理を抜け、図３の処理に戻る。終了しないと判定された場合はＳ４０１へ戻る。
【００５４】
以上が撮像モード処理についての説明である。
【００５５】
続いて、図４のＳ４０２のマルチショットモード処理およびＳ４０４の連写モード処理について説明する。
【００５６】
＜マルチショットモード処理＞
まず、Ｓ４０２のマルチショットモード処理について説明する。
【００５７】
図５にマルチショットモード処理のフローチャートを示す。この処理は、不揮発性メモリ５６に記録されたプログラムを、システムメモリ５２に展開してシステム制御部５０が実行することにより実現する。
【００５８】
Ｓ５０１では、システム制御部５０は、撮像部２２で撮像された画像をほぼリアルタイムで表示するスルー画像表示（ライブビュー）を行う。
【００５９】
図７（Ａ）に、マルチショットモードで表示部２８に表示されるスルー画像表示の表示例を示す。スルー画像７０１は、現在撮像されている被写体のスルー画像（ライブビュー画像）である。ダイアログ７０２には、現在デジタルカメラ１００に設定されている撮像条件（撮像設定）が表示される。図示の例では、左から順に、画像圧縮率低、画素数Ｌサイズ、マルチショットモードでの残り撮像指示可能回数が１２３４回、動画の残り撮像可能時間１２分３４秒であることを示している。撮像指示可能回数は、記録媒体２００の残容量に応じた静止画の残り撮像可能枚数（この例では７４０４枚）を、マルチショットモードでの１回の撮像指示で生成される画像の数である６で割った数であり、あと何回の撮像指示を行えるかを示している。マルチショットモードアイコン７０３は、現在の撮像モードがマルチショットモードであることを表すアイコンである。なお、このマルチショットモードアイコンにタッチすることで、撮像モード変更画面を表示させて他の撮像モードに変更することもできる。ＦＵＮＣボタン７０４は、ＦＵＮＣメニューを表示させるためのタッチアイコンである。ＦＵＮＣボタン７０４がタッチされると、システム制御部５０はスルー画像に重畳してＦＵＮＣメニューを表示する。ＦＵＮＣメニューを表示した画面において、ユーザーは各種撮像条件を設定することができる。ＤＩＳＰボタン７０５は、スルー画像に重畳して表示される情報の種類、量が異なる他の表示モードに切り替えるためのタッチボタンである。
【００６０】
Ｓ５０２では、システム制御部５０は、シャッター操作部６１が半押しされてＳＷ１がオンとなったか否かを判定する。ＳＷ１がオンとなったと判定した場合はＳ５０４に進み、そうでない場合はＳ５５０のその他の撮像処理へ進む。その他の撮像処理については図６を用いて後述する。その後、Ｓ５０３へ進む。なお、タッチシャッターが有効となっている場合は、タッチパネル７１のスルー画像上に対するタッチダウンがあった場合にもＳＷ１がオンとなるものとする。
【００６１】
Ｓ５０３では、システム制御部５０は、モード切替スイッチ６０の操作による他モードへの移行指示や、電源スイッチ７２の押下による電源ＯＦＦとする指示などの、マルチショットモードを終了させるイベントがあったか否かを判定する。マルチショットモードを終了させるイベントがあったと判定した場合は処理を終了する。マルチショットモードを終了させるイベントが無いと判定した場合にはＳ５０１に戻って処理を繰り返す。
【００６２】
一方、Ｓ５０４では、システム制御部５０はＳＷ１がオンになったことに応じて、ＡＦ、ＡＥなどの撮像準備処理を行う。これにより、フォーカス位置や絞りなどの撮像準備パラメータを決定する。
【００６３】
続いて、Ｓ５０５では、システム制御部５０は、シャッター操作部６１を全押しにする操作などによってＳＷ２がオンとなったか否かを判定する。ＳＷ２がオンとなったと判定した場合にはＳ５０７に進み、そうでない場合にはＳ５０６に進む。なお、タッチシャッターが有効となっている場合は、ＳＷ１をオンとするトリガーとなったタッチダウンから継続したタッチ操作におけるタッチアップによってもＳＷ２がオンとなるものとする。
【００６４】
Ｓ５０６では、システム制御部５０は、ＳＷ１がオンとなった状態のままであるか否かを判定する。ＳＷ１がオンのままであればＳ５０５に戻り、ＳＷ１がオフとなった場合はその他の撮像処理に進む。
【００６５】
Ｓ５０７では、システム制御部５０は、撮像部２２で撮像しているスルー画像から現在撮像している被写体を解析する。例えば、検出された顔やモノなどの被写体が静止しているか否か、主被写体とその他の被写体に距離があるかどうか、逆光のシーンであるか、被写体に動きがあるか否か等を解析する。
【００６６】
Ｓ５０８では、システム制御部５０は、Ｓ５０７での解析結果に基づいて、露出ブラケット撮像を行うか否かを判定する。露出ブラケット撮像とは、シャッター速度と絞りの組み合わせによる露出の設定を、自動的に少しずつ変えた設定にして複数枚の撮像を行う撮像方法である。露出ブラケットを行うと判定する条件としては例えば、Ｓ５０７で逆光のシーンであると判定された場合などがある。逆に露出ブラケット撮像ではなく、フォーカスブラケット撮像を行うと判定する条件としては、被写体が静止しており、互いに距離があると判定された場合などがある。露出ブラケット撮像を行うと判定した場合はＳ５０９にすすみ、そうでない場合はＳ５１０に進む。
【００６７】
Ｓ５０９では、システム制御部５０は、露出ブラケット撮像を行う。すなわち、露出値を、それぞれ通常値（適正値、すなわちＳ５０４で決定した値）、アンダー寄り（暗め）、オーバー寄り（明るめ）の異なる値に設定して３回の連続撮像（連写）を行う。すなわち複数回撮像が行われる。こうして３つのＲＡＷ画像が撮像される。
【００６８】
Ｓ５１０では、システム制御部５０は、フォーカスブラケット撮像を行う。フォーカスブラケット撮像では、フォーカス位置（ピント位置）がそれぞれ異なるように、フォーカス位置を合焦位置（すなわちＳ５０４で決定した値）、合焦位置から手前側、及び合焦位置から奥側に自動的にずらして３回の連続撮像（連写）を行う。すなわち撮像ごとに異なるパラメータを用いて複数回撮像が行われる。こうして３つのＲＡＷ画像（デモザイク処理を含む現像処理をする前のデータ）が撮像される。
【００６９】
Ｓ５１１では、システム制御部５０は、生成された画像の数をカウントするためにシステムメモリ５２に保持された変数ｉを、初期値である１にセットする。
【００７０】
Ｓ５１２では、システム制御部５０は、撮像されたＲＡＷ画像を解析して、ｉ番目の画像として生成すべき画像を生成するための画像処理内容を決定する。例えば画像解析として顔検出を行い、検出された顔の位置と大きさに応じたトリミング処理を施すと決定する。なお、特に特別な処理を施していない通常画像を１枚は生成するように、ｉ＝１の時は特別な画像処理は行わない（通常の画像生成に必要な処理は行う）ように決定するものとする。また、一回の撮像指示に応じて生成される６枚の画像の中に同じような画像が含まれないように、変数ｉ毎に異なる画像処理条件となるように決定される。
【００７１】
Ｓ５１３では、システム制御部５０は、Ｓ５１２で決定した画像処理を、３枚のＲＡＷ画像のいずれかに施して可視化画像（現像された画像）を生成する。ここで施す画像処理には以下のうちの何れか、または組み合わせである。トリミング処理（アスペクト比変更処理を含む）、ぼかし処理、色処理。ぼかし処理には、主被写体と判定される被写体や、画像中央部以外のエッジを和らげる処理（ジオラマ風など）が含まれる。色処理には、モノクロ画像にする処理、１色を残して他の色をモノクロにする処理（ワンポイントカラー）、セピアにする処理、画像周辺部を暗くする処理（トイカメラ風になる）などが含まれる。また、暖色を強調する処理、寒色を強調する処理、彩度を淡くする処理、彩度を高める処理などが含まれる。なお、変数ｉ＝１の時は３枚のＲＡＷ画像のうち、露出ブラケットであれば適正露出（通常露出）で撮像された画像から可視化画像を生成し、フォーカスブラケットであればフォーカス位置を合焦位置として撮像された画像から可視化画像を生成する。
【００７２】
Ｓ５１４では、システム制御部５０は、Ｓ５１３での画像処理が終了次第、Ｓ５１３の画像処理で生成された画像を表示部２８にクイックレビュー表示として表示する。この表示は１枚ずつ行われる。
【００７３】
Ｓ５１５では、システム制御部５０は、Ｓ５１３で生成された画像を画像ファイルとして記録媒体２００に記録する。なお、１回の撮像指示に応じて生成された１組の画像群に含まれる６枚の画像の画像ファイルのそれぞれには、属性情報として、同一の撮像指示に応じて撮像された同一グループに属する画像であることを示す識別子が付与される。例えば画像ファイルのヘッダ情報に、同一グル―プの画像のそれぞれには同一のグループ識別子が付与される。このグループ識別子によって、互いに関連する画像であることを識別できる。
【００７４】
Ｓ５１６では、システム制御部５０は、変数ｉ＝６であるか否かを判定する。すなわち、６枚の画像（グループ内の全画像）を生成したか否かの判定である。ｉ＝６であると判定するとＳ５５１のレックレビュー処理に進む。一方、そうでない場合にはＳ５１７に進んでｉを１つインクリメントし、Ｓ５１２に戻って同一グループの次の画像の生成を行う。このようにｉ＝６となるまで処理を繰り返すことにより、Ｓ５１４では、生成された画像が１枚ずつ順次表示される。
【００７５】
図７（Ｂ）の（１）〜（６）に、変数ｉ＝１〜６の６回分繰り返されるＳ５１４でのクイックレビューでの表示例を示す。表示部２８には、ｉ＝１〜６までの処理によって生成された下記の画像が、下記の順番で順次表示される。なお、各画像の表示期間は次の画像を生成するためにＳ５１３で要した画像処理の時間に依存する。
１．（１）の画像：適正露出または合焦位置で撮像されたＲＡＷ画像（元画像）に、特別な処理を施していない画像（標準の処理を施した画像）である。撮像モードのオートモードで撮像される画像と同じ画像処理が施される標準的な画像である。
２．（２）の画像：（１）の画像の元画像と同じＲＡＷ画像を、人物の顔の位置とサイズに基づいて自動的に３：４の縦長のアスペクト比でトリミング処理し、色を淡くする色処理を施した画像である。
３．（３）の画像：露出ブラケット撮像によって、（１）の画像の撮像とは異なる露出で撮像された画像に、色褪せたような色処理を施した画像である。
４．（４）の画像：（３）の画像の元画像と同じＲＡＷ画像を、顔の位置と大きさに基づいて１：１のアスペクト比でトリミングし、色処理を施してモノクロとした画像である。
５．（５）の画像：（１）、（３）の画像とは異なる露出で撮像された元画像（ＲＡＷ画像）を、（顔には基づかずに）３：４の縦長のアスペクト比でトリミング処理して生成された画像である。
６．（６）の画像：（５）の画像の元画像と同じＲＡＷ画像を、（顔には基づかずに）１：１のアスペクト比でトリミングし、彩度を上げる色処理を施して生成された画像である。
【００７６】
６つの画像の生成が終わると、Ｓ５５１のレックレビュー処理に進む。このレックレビュー処理については、図１０を用いて後述する。Ｓ５５１の処理が終わると、Ｓ５０１に戻って処理を繰り返す。
【００７７】
続いて、図５のＳ５５０の処理について説明する。
【００７８】
図６に、図５のＳ５５０で実行されるその他の撮像処理のフローチャートを示す。
【００７９】
Ｓ６０１では、システム制御部５０は、ＦＵＮＣボタン５０４に対するタップ操作（タッチパネル７１がタッチされ、所定距離以上のタッチムーブを検出せずに、ＦＵＮＣボタン５０４上でタッチアップが検出される操作））があったか否かを判定する。なお、本実施形態ではＦＵＮＣボタンはソフトキーであるタッチボタンとして説明しているが、ハードウェアキーとして有していてもよい。ＦＵＮＣボタンに対するタップ操作があったと判定するとＳ６０２に進み、そうでない場合はＳ６０３に進む。
【００８０】
Ｓ６０２では、システム制御部５０は、スルー画像に重畳して、記録画素数や圧縮率、ストロボ発光有無やセルフタイマー設定などの各種撮像条件を設定するためのメニュー項目を含むＦＵＮＣメニューを表示させる。そして、ＦＵＮＣメニューを表示している状態で受け付けたユーザー操作に応じて撮像条件を設定する。
【００８１】
Ｓ６０３では、システム制御部５０は、操作部７０に含まれるＭｅｎｕボタンが押下されたか否かを判定する。Ｍｅｎｕボタンはハードウェアボタンとして説明するが、タッチパネル７１に表示されるソフトキーとしてもよい。Ｍｅｎｕボタンが押下されたと判定するとＳ６０４に進み、そうでない場合はその他の撮像モードでの処理を終了する。
【００８２】
Ｓ６０４では、システム制御部５０は、表示部２８にＭｅｎｕ画面を表示する。Ｍｅｎｕ画面は、前述のＦｕｎｃメニューとは異なるメニュー項目よりなる設定メニューである。Ｍｅｎｕ画面には、ＡＦ（オートフォーカス）の設定項目、顔検出を行うか否かの設定項目、タッチシャッターを有効とするか無効とするかの設定項目、後述するレックレビュータイマーの設定項目などが含まれる。レックレビュータイマーの設定項目では、レックレビューなし（レビュー時間０秒）、レビュー時間０．５秒、レビュー時間２秒、レビュー時間１０秒、ホールド（時間に応じて自動的に終了させることはしない設定）の何れかを設定できる。システム制御部５０は、Ｍｅｎｕ画面を表示している状態で受け付けたユーザー操作に応じて各種設定を行う。設定された内容や設定値は不揮発性メモリ５６に記憶される。
【００８３】
Ｓ６０４の処理が終わると、図４の処理に戻る。
【００８４】
以上がその他の撮像処理の説明である。
【００８５】
＜連写モード処理＞
続いて、図４のＳ４０４で実行される連写モード処理について説明する。
【００８６】
図８は連写モード処理のフローチャートである。この処理は、不揮発性メモリ５６に記録されたプログラムを、システムメモリ５２に展開してシステム制御部５０が実行することにより実現する。
【００８７】
Ｓ８０１ではシステム制御部５０は、撮像部２２で撮像された画像をほぼリアルタイムで表示するスルー画像表示（ライブビュー）を行う。
【００８８】
図９（Ａ）に、連写モードで表示部２８に表示されるスルー画像表示の表示例を示す。スルー画像９０１は、現在撮像されている被写体のスルー画像（ライブビュー画像）である。ダイアログ９０２は前述したダイアログ７０２と同様である。連写モードアイコン９０３は、現在の撮像モードが連写モードであることを表すアイコンである。なお、このマルチショットモードアイコンにタッチすることで、撮像モード変更画面を表示させて他の撮像モードに変更することもできる。ＦＵＮＣボタン９０４、ＤＩＳＰボタン９０５は、前述したＦＵＮＣボタン７０４、ＤＩＳＰボタン７０５と同様である。
【００８９】
Ｓ８０２、Ｓ８５０、Ｓ８０３、Ｓ８０４では、それぞれ前述したＳ５０２とＳ５５０、Ｓ５０３、Ｓ５０４と同様の処理が実行される。
【００９０】
Ｓ８０５は、システム制御部５０は、シャッター操作部６１を全押しにする操作などによってＳＷ２がオンとなったか否かを判定する。ＳＷ２がオンとなった場合にはＳ８０７に進み、そうでない場合にはＳ８０６に進む。
【００９１】
Ｓ８０６では図５のＳ５０６と同様の処理が実行される。
【００９２】
Ｓ８０７では、システム制御部５０は、撮像処理を行う。ここでの処理は一枚撮像するのみとする。ここでは、Ｓ５０４で決定された撮像準備パラメータを用いて撮像し、あらかじめユーザからのメニュー操作によって設定された撮像パラメータを用いて画像処理を行うことで画像を生成する。そしてＳ８０８へ進む。
【００９３】
Ｓ８０８では、システム制御部５０は、Ｓ８０７で生成された画像を表示部２８にクイックレビュー表示として表示する。このときの表示例を図９（Ｂ）に示す。
【００９４】
Ｓ８０９では、システム制御部５０は、Ｓ８０７で生成された画像を画像ファイルとして記録媒体２００に記録する。なお、画像ファイルには、属性情報として、同一の撮像指示に応じて撮像された同一グループに属する画像であることを示す識別子が付与される。例えば画像ファイルのヘッダ情報に、同一グル―プの画像のそれぞれには同一のグループ識別子が付与される。このグループ識別子によって、互いに関連する画像であることを識別できる。そしてＳ８１０へ進む。
【００９５】
Ｓ８１０では、シャッター操作部６１が全押しされているかどうかの判定を行う。全部押しされていると判定された場合は、Ｓ８０７へ戻り、Ｓ８０７〜Ｓ８０９の処理を繰り返す。つまり連写を継続する。なお、繰り返す撮像では、Ｓ８０４で決定された撮像準備パラメータを再度用いて撮像し、あらかじめユーザからのメニュー操作によって設定された撮像パラメータを用いて画像処理を行うことで画像を生成する。すなわち、連写の撮像ごとに同じパラメータを用いて画像を生成する。また、連写速度を確保するために、クイックレビュー表示を省略してもよい。例えば連写速度として秒間の撮像回数を指定できる機能を持つ場合、その秒間撮像回数の設定値が一定回数以上である場合にクイックレビュー表示を省略する。一方、全押しではないと判定された場合は撮像を終了しＳ８５１のレックレビュー処理に進む。レックレビュー処理については後述図１０のレックレビュー処理で詳しく説明する。レックレビュー処理が終了するとＳ８０１へ戻り撮像待機状態となる。
【００９６】
＜レックレビュー処理＞
続いて、図５のＳ５５１、および図８のＳ８５１のレックレビュー処理について説明する。
【００９７】
図１０にレックレビュー処理のフローチャートを示す。
【００９８】
Ｓ１００１では、システム制御部５０は、レックレビュー表示を行う。マルチショット用のレックレビューでは、１回の撮像指示で生成された１組の画像である画像が、図７（ｃ）のように同一画面に配置されて表示される。また、連写モードのレックレビューでも、図９（ｃ）のように同一画面に配置されて表示される。
【００９９】
Ｓ１００２では、システム制御部５０は、レックレビュー表示を自動的に終了させるためのタイマー（レビュー時間）のカウントダウンをスタートする。レビュー時間は、上述のＭｅｎｕ画面において予め設定された時間である。
【０１００】
Ｓ１００３では、システム制御部５０は、操作部７０に含まれるＳＥＴボタンを押下する操作があったか否かを判定する。ＳＥＴボタンの押下があった場合にはＳ１００５のレックレビューホールド処理に進み、そうでない場合はＳ１００４に進む。
【０１０１】
レックレビューホールド処理については図１１を用いて後述する。
【０１０２】
Ｓ１００４では、システム制御部５０は、Ｓ１００２のタイマー開始からレビュー時間が経過したか否かを判定する。レビュー時間が経過していなければＳ１００３に処理を戻し、レビュー時間が経過していた場合は、レックレビュー表示を終了して図５または図８の処理に戻る。
【０１０３】
図１１に図１０のＳ１００５で実行されるレックレビューホールド処理のフローチャートを示す。
【０１０４】
Ｓ１１０１では、システム制御部５０は、マルチショットモードでの撮像でレックレビューホールド処理が開始したか否かを判定する。マルチショットモードでの撮像でレックレビューホールド処理が開始したと判定した場合はＳ１１０２へ進み、そうではない場合はＳ１１０３へ進む。
【０１０５】
Ｓ１１０２ではシステム制御部５０は、図１２（ａ）のように「消去する画像を選んでください」というガイダンス表示をレックレビュー表示に重畳させて表示する。その後、Ｓ１１０５へ進む。なお、この表示は、左上の画像がカーソル１２００で囲まれている状態で開始される。カーソル１２００の移動操作は後述のＳ１１１６で受け付ける。また、ここで消去する画像を選択させるのは、マルチショットモードで得られる複数の画像は、それぞれ雰囲気の異なる画像であり、明らかに不要と判断できるもの以外は残しておきたいことが考えられるためである。すなわち、消去しない画像を選択するよりも、消去する画像を選択するほうが、ユーザ操作の手番が少なくてすむ可能性が高い。故に、マルチショットモードのレックレビュー表示では、消去する画像を選択させる。
【０１０６】
一方、Ｓ１１０３では、システム制御部５０は、連写モードでの撮像でレックレビューホールド処理が開始したか否かを判定する。連写モードでの撮像でレックレビューホールド処理が開始したと判定した場合はＳ１１０４へ進む。そうではない場合は処理を終了し、図１０の処理に戻る。
【０１０７】
Ｓ１１０４ではシステム制御部５０は、図１２（ｅ）のように「残す画像を選んでください」というガイダンス表示をレックレビュー表示に重畳させて表示する。その後Ｓ１１０５へ進む。なお、この表示は、左上の画像がカーソル１２００で囲まれている状態で開始される。カーソル１２００の移動操作は後述のＳ１１１６で受け付ける。また、ここで残す画像（すなわち消去しない画像）を選択させるのは、連写モードで得られる複数の画像は、ほぼ同じ画像であり、ベストショットのみを残したいシーンが多いと考えられるためである。すなわち、消去する画像を選択するよりも、消去しない画像を選択するほうが、ユーザ操作の手番が少なくてすむ可能性が高い。故に、連写モードのレックレビュー表示では、残す画像を選択させる。
【０１０８】
Ｓ１１０５では、システム制御部５０は、操作部７０に含まれるＳＥＴボタンを押下する操作があったか否かを判定する。ＳＥＴボタンの押下があったと判定した場合にはＳ１１０６に進み、そうでない場合はＳ１１１５に進む。
【０１０９】
まず、Ｓ１１０６に進む場合について説明する。
【０１１０】
Ｓ１１０６では、システム制御部５０は、画像選択処理を行う。ここでは、ＳＥＴボタンが押されたときにカーソル１２００で囲まれている画像を処理対象として選択する。具体的には、ＳＥＴボタンが押されたときにカーソル１２００で囲まれている画像の識別子をメモリに登録する。なお、本実施形態では、複数の画像を選択可能である。複数の画像を選択した場合、メモリには複数の画像の識別子が登録される。
【０１１１】
次に、Ｓ１１０７では、システム制御部５０は、カーソル１２００で囲まれている画像に対してチェックマークの表示を行う。表示例としては、マルチショットモードのレックレビューのときは図１２（Ｂ）のように、選択される画像に重畳表示する。連写モードのレックレビューのときは図１２（Ｆ）のように表示する。複数の画像が選択される場合には、複数の画像にチェックマークが重畳表示される。そしてＳ１１０８へ進む。
【０１１２】
Ｓ１１０８では、システム制御部５０は、画像選択処理を終了するかどうかの判定を行う。具体的には、処理する画像の選択を終えて、画像への処理を開始するための指示を受け付けたか否かを判断する。選択した画像への処理を開始するための指示は、画面に表示されるＭＥＮＵボタンを操作することで入力することができる。
【０１１３】
システム制御部５０が、選択を終了すると判断した場合はＳ１１０９へ進む。一方、選択を終了しないと判断した場合はＳ１１０５へ戻り、Ｓ１１０５以降の処理を繰り返す。なお、繰り返し実行される場合、ＳＥＴボタンを押下したときにカーソル１２００で囲まれている画像が既に処理対象として選択済みであった場合には、その選択を解除する。これに併せて、チェックマークの表示も消す。
【０１１４】
Ｓ１１０９ではシステム制御部５０は、マルチショットモードでの撮像でレックレビューホールド処理が開始したか否かを判定する。この処理はＳ１１０１と同様である。
【０１１５】
マルチショットモードでの撮像でレックレビューホールド処理が開始したと判定した場合はＳ１１１０へ進み、そうではない場合はＳ１１１１へ進む。
【０１１６】
Ｓ１１１０では、システム制御部５０は、選択された画像を消去する。このときの表示例を図１２（ｃ）に示す。ここで消去された画像は、レックレビューに表示されなくなる。
【０１１７】
一方、Ｓ１１１１では、システム制御部５０は、連写モードでの撮像でレックレビューホールド処理が開始したか否かを判定する。連写モードでの撮像でレックレビューホールド処理が開始したと判定した場合はＳ１１１２へ進み、そうではない場合はＳ１１１３へ進む。
【０１１８】
Ｓ１１１２では、システム制御部５０は、選択した画像以外を消去する。このときの表示例を図１２（ｇ）に示す。ここで消去された画像は、レックレビューに表示されなくなる。
【０１１９】
Ｓ１１１０またはＳ１１１２の処理を終えると、Ｓ１１１３に進む。
【０１２０】
Ｓ１１１３では、システム制御部５０は、レックレビューに画像が表示されているか否かを判定する。具体的には、システム制御部５０は、画像のデータが表示用のメモリに残っているかどうかの判定を行う。画像のデータがメモリに残っている場合は、すなわちレックレビューに表示される画像が残っているため、Ｓ１１１４へ進む。一方、画像のデータがメモリに残っていない場合はレックレビューホールド処理を終了し、図５のＳ５０１または図８のＳ８０１へ戻る。
【０１２１】
Ｓ１１１０ではシステム制御部５０は、メモリに残っている画像を表示する。例えば、マルチショットモードのレックレビューのときは図１２（ｄ）のように、図１２（ｂ）の画面で選択していなかった画像が表示される。また、連写モードのレックレビューのときは図１２（ｈ）のように、図１２（ｆ）の画面で選択していた画像が表示される。そしてＳ１１０１へ戻りレックレビューホールド状態を継続する。
【０１２２】
次に、Ｓ１１０５でＳＥＴボタンが押下されていないと判断された場合について説明する。この場合処理はＳ１１１５に進む。
【０１２３】
Ｓ１１１５では、システム制御部５０は、シャッター操作部６１が半押しされてＳＷ１がオンとなったか否かを判定する。ＳＷ１がオンとなったと判定した場合は撮像のための処理を優先し、レックレビューホールド処理を終了し、図５のＳ５０１または図８のＳ８０１へ進む。そうでない場合はＳ１１１６へ進む。
【０１２４】
Ｓ１１１６ではシステム制御部５０は、レックレビューホールド状態でのその他の処理を行う。ここでいうその他の処理とは、レックレビュー画面のカーソル（１２００）移動などがあげられる。例えば、図１２（ａ）の画面が表示されている状態で、タッチパネルを介して他の画像をタッチすれば、タッチした画像を囲むようにカーソルを移動させる。あるいは、上下左右の４方向ボタンを用いてカーソルを上下左右に移動させることもできる。
【０１２５】
その後、Ｓ１１０５へ戻る。
【０１２６】
以上が、レックレビューホールド処理の説明である。
【０１２７】
以上述べたように、本実施形態の撮像装置では、撮像モードに応じて、レックレビュー時に、所定の処理を行う画像を選択するのか、処理を行わない画像を選択するのかを切り替える。これにより、ユーザの意図に沿った選択手順を実現し、選択する際のユーザの手間を低減することができる。
【０１２８】
［その他の実施形態］
上述の実施形態では、連写モードやマルチショットモードは、モード切り替えスイッチ６０への操作に従って切り替わる場合を例に挙げて説明したが、これに限られるものではない。例えばモード遷移のためのＧＵＩを表示してもよい。この場合連写モードに遷移するためのアイコンやマルチショットモードに遷移するためのアイコンが表示され、ユーザがいずれかのアイコンを選択することで、選択されたアイコンに対応するモードに遷移する。
【０１２９】
また、上述の実施形態において連写モードでは、ＳＷ２がオンとなる前に行った撮像準備処理（ＡＦ・ＡＥなど）の結果を、各撮像に共通に用いる場合を例に挙げて説明した。これについては、連写の撮像ごとに撮像準備処理を行ってもよい。あるいは、上記の各撮像に共通の撮像準備パラメータを用いる連写モードに加えて、連写の撮像ごとに撮像準備処理を行って、撮像ごとに異なるパラメータを用いて撮像する連写モードを備えてもよい。連写の撮像ごとに撮像準備処理を行うモードでは、ＡＦ値やＡＥ値は撮像ごとに異なる値を用いる一方で、画像処理（例えば色処理など）の際に用いるパラメータは、あらかじめ設定された共通のパラメータが用いられる（つまり、共通の画像処理が施される）。そのため、マルチショットモードに比べて、生成される複数の画像の雰囲気が大きく異なることはない。したがって、このモードでも、レックレビュー表示は撮像準備処理（ＡＦ・ＡＥなど）の結果を各撮像に共通に用いる場合と同様に表示する。
【０１３０】
また、上述の実施形態では、Ｓ１１０７で画像選択時にチェックマークをつける例を示したが、画像の明度を用いて、消去される画像と残される画像をはっきり区別させるような表示と処理を行ってもよい。具体的には、マルチショットモード時は図１３（Ａ）〜（Ｄ）のように表示する。ここでは、図１３（Ａ）では、全ての画像が明るく表示されている。ここで、カーソルで囲まれている左上の画像を選択すると図１３（Ｂ）のように、左上の画像の明るさが暗く表示される。これにより、画像が削除されることをユーザに直感的に把握させることができる。なお、明暗の他に例えばカラー表示されている状態から、白黒表示あるいはグレースケール表示にすることで選択した状態を表してもよい。
【０１３１】
また、連写モード時は、図１３（Ｅ）〜（Ｈ）のように表示する。連写モードでは残す画像を選択させるため、図１３（Ｅ）のようにレビュー表示される画像全てが暗く表示された状態でレビュー表示を開始する。そのうちの一つの画像を選択すると、例えば図１３（Ｆ）のように、選択した画像が明るく表示され、この画像を残すことをユーザに直感的に把握させる。この場合もマルチショットモード時と同様に、明暗ではなくカラーと白黒、グレースケール表示とを切り替えることで選択した状態を表してもよい。
【０１３２】
また、上述の実施形態に加えて、再生モードにおいて複数の画像を表示している状態で、削除する画像を選択できるようにしてもよい。この場合、例えば複数の画像を選択して削除するための削除モードに入るメニューをユーザが選択することで、ブラケット撮像のレックレビュー時のような画面に遷移する指示を入力することができるようにする。再生モードで再生される画像は少なくともレックレビュー表示を終えて記録されている画像であり、連写モードでのレックレビュー時に表示される複数の画像に比べて、保存したい画像のほうが削除したい画像よりも多いと考えられる。故に、再生モードでは、保存する画像を選択できるようにするのではなく、削除する画像を選択できるようにする。これにより、ユーザの選択操作の手間を低減することができる。
【０１３３】
また、上述の実施形態では、ブラケット撮像モードと連写モードのどちらのモードでも、得られた複数の画像は、レックレビュー表示の前に、一旦記録媒体に記録される場合を例に挙げて説明した。しかしながら、書き込みおよび読み込み速度の速いバッファメモリを用意しておき、連続した撮像を行うモードでは、バッファメモリに画像を溜めておくように実装することも考えられる。この場合、一連の撮像が終わった後にバッファメモリの画像データを記録媒体に、画像ファイルとして記録することになる。このような場合には、以下のようにしてもよい。
【０１３４】
すなわち、上述したように、連写モードの場合は保存する画像が少ないと考えられる。そのため、バッファメモリから記録媒体に画像データを移動させる前にレビュー表示を行い、ユーザ選択を受け付け、選択された画像のみを記録媒体に記録するようにしてもよい。このようにすることで、効率的な記録制御を実現することができる。例えば、書き込み回数に上限のあるＳＤカード等を記録媒体に用いる際には、無駄な書き込みが減り、記録媒体の利用可能期間を延ばすことができる。また、無駄な書き込みによるデジタルカメラの電力消費も抑えることができる。
【０１３５】
一方、ブラケット撮像モードでは削除する画像が少ない、逆に言えば、保存する画像が多いと考えられる。このような場合には、ユーザの選択後にバッファメモリから記録媒体への記録を開始すると、ユーザに処理の間の時間を待たせることになる。そこで、この場合は先にバッファメモリから記録媒体に記録し、並行してレビュー表示とユーザ選択の受け付けを行い、選択された画像のみを削除または記録媒体への記録をしないようにする。これにより、ユーザが処理を待つ時間を低減し、よりスムーズなＵＩを実現することができる。
【０１３６】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【図１】
0006576130.tif 000002
【図２】
0006576130.tif 000003
【図３】
0006576130.tif 000004
【図４】
0006576130.tif 000005
【図５】
0006576130.tif 000006
【図６】
0006576130.tif 000007
【図７】
0006576130.tif 000008
【図８】
0006576130.tif 000009
【図９】
0006576130.tif 000010
【図１０】
0006576130.tif 000011
【図１１】
0006576130.tif 000012
【図１２】
0006576130.tif 000013
【図１３】
0006576130.tif 000014